(57)【要約】【課題】指紋照合装置において、指紋データを再登録する人と、既登録の人とが同一人であるかを確認できるようにする。【解決手段】スイッチ等の操作により、再登録モードを設定した後、再登録する指紋データのＩＤ番号をＩＤ入力装置３を操作して入力する。このＩＤ番号に対応する指紋データが登録されていれば、再登録可能となる。ここで、登録ボタン４を押し、指紋読取り部２に指を置くと、指紋画像から特徴点・方向角などが抽出されて新指紋データが作成される。再登録データ認証手段１３は、新指紋データと指紋データ記憶装置１２中の旧指紋データ（今回入力したＩＤと同じＩＤに対応する指紋データ）とを照合し、認証ＯＫかＮＧかを判定する。【選択図】　　　　図１
2004070638.tif 000002
【特許請求の範囲】
【請求項１】
入力された指紋データとあらかじめ登録された指紋データとを照合して、両者の一致又は不一致を判定する装置において、上記登録指紋データの再登録モードを設定する再登録モード設定装置を設け、上記再登録モードが設定された状態で上記指紋データが入力されると、この入力指紋データと上記登録指紋データとを照合して上記入力指紋データの再登録の可否を認証する再登録データ認証手段とを備えたことを特徴とする指紋照合装置。
【請求項２】
個人番号及び指紋データが入力されると、この入力指紋データと上記個人番号に対応する登録指紋データとを照合して、両指紋データの一致又は不一致を判定する装置において、上記登録指紋データの再登録モードを設定する再登録モード設定装置を設け、上記再登録モ−ドが設定された状態で上記個人番号及び上記指紋データが入力されると、この入力指紋データと上記個人番号に対応する登録指紋データとを照合して上記入力指紋データの再登録の可否を認証する再登録データ認証手段を備えたことを特徴とする指紋照合装置。
【請求項３】
再登録モード時の入力指紋データと登録指紋データとの照合時の判定に用いるしきい値を、通常の照合時の判定に用いるしきい値よりも低い値としたことを特徴とする請求項１又は請求項２記載の指紋照合装置。
【請求項４】
通常時の入力指紋データと登録指紋データとの照合時には方向角照合及び特徴点照合を用い、再登録モード時の入力指紋データと登録指紋データとの照合時には上記方向角照合だけを用いるものとしたことを特徴とする請求項１又は請求項２記載の指紋照合装置。
【請求項５】
入力された指紋データとあらかじめ登録された指紋データを照合して、両者の一致又は不一致を判定する方法において、上記登録指紋データの再登録モードが設定された後に、上記指紋データが入力されると、この入力指紋データと上記登録指紋データとを照合して上記入力指紋データの再登録の可否を認証するステップを備えたことを特徴とする指紋照合方法。
【発明の詳細な説明】
【０００１】
【発明の属する技術分野】
この発明は、入力された指紋データと登録指紋データを照合する装置に関するものである。
【０００２】
【従来の技術】
図２及び図５は、例えば特開２００１−１５５１５０号公報に示された従来の指紋照合装置を示す図で、図２は斜視図、図５は再登録モード設定時の機能構成図である。
指紋照合装置１は、利用者が図２に示すＩＤ入力装置（テンキー等）３を操作してＩＤ番号を入力し（ＩＤ入力装置３を用いないものもある。）、指紋読取り部２に指を置くと指紋画像が読み取られ、この入力指紋データとあらかじめ登録された登録指紋データとが照合され、両者の一致又は不一致が判定されるものであることは周知である。
【０００３】
このような指紋照合装置１において、利用者が指を受傷したりして、指紋の状態が変化した場合、登録指紋データを再登録する必要が生じる場合がある。
指紋データを再登録する場合は、ＩＤ入力装置３を操作してＩＤ番号を入力するとともに、削除ボタン６を操作して、図５に示す指紋データ記憶装置１２に記憶された登録指紋データをいったん削除する。
【０００４】
その後、再度同一ＩＤ番号を入力するとともに、指紋読取り部２に指を置いて、登録データ作成手段１０で登録データを作成し、新たに指紋データを登録する。
【０００５】
【発明が解決しようとする課題】
上記のような従来の指紋照合装置では、ＩＤ番号に対応する登録指紋データを削除し、同一ＩＤ番号で指紋データを新たに登録するようにしている。そのため、大規模なシステムで指紋照合装置が運用されている場合、管理者は再登録を依頼して来た人とそのＩＤ番号が正しく対応しているかを確認することはむずかしくなる。例えば、台帳等で管理していても、管理者がその人の顔と名前を知らなければ、故意又は不注意によって、ＩＤ番号と指紋データとの対応は取れなくなる可能性がある。
【０００６】
また、これが故意に行われた場合、警備システムは役に立たなくなり、だれも気付かないうちに侵入・窃盗などが発生する可能性を蔵しているという問題点がある。
【０００７】
この発明は上記問題点を解消するためになされたもので、指紋データの再登録をする人と、既登録の人が同一人であるかを確認できるようにした指紋照合装置を提供することを目的とする。
【０００８】
【課題を解決するための手段】
この発明の第１発明に係る指紋照合装置は、入力された指紋データとあらかじめ登録された指紋データとを照合して、両者の一致又は不一致を判定する装置において、上記登録指紋データの再登録モードを設定する再登録モード設定装置を設け、上記再登録モードが設定された状態で上記指紋データが入力されると、この入力指紋データと上記登録指紋データとを照合して上記入力指紋データの再登録の可否を認証する再登録データ認証手段を備えたものである。
【０００９】
また、第２発明に係る指紋照合装置は、個人番号及び指紋データが入力されると、この入力指紋データと上記個人番号に対応する登録指紋データとを照合して、両指紋データの一致又は不一致を判定する装置において、上記登録指紋データの再登録モードを設定する再登録モード設定装置を設け、上記再登録モードが設定された状態で上記個人番号及び上記指紋データが入力されると、この入力指紋データと上記個人番号に対応する登録指紋データとを照合して上記入力指紋データの再登録の可否を認証する再登録データ認証手段を備えたものである。
【００１０】
また、第３発明に係る指紋照合装置は、第１又は第２発明のものにおいて、再登録モード時の入力指紋データと登録指紋データとの照合時の判定に用いるしきい値を、通常の照合時の判定に用いるしきい値よりも低い値としたものである。
【００１１】
また、第４発明に係る指紋照合装置は、第１又は第２発明のものにおいて、通常時の入力指紋データと登録指紋データとの照合時には方向角照合及び特徴点照合を用い、再登録モード時の入力指紋データと登録指紋データとの照合時には上記方向角照合だけを用いたものである。
【００１２】
また、第５発明に係る指紋照合方法は、入力された指紋データとあらかじめ登録された指紋データを照合して、両者の一致又は不一致を判定する方法において、上記登録指紋データの再登録モードが設定された後に上記指紋データが入力されると、この入力指紋データと上記登録指紋データとを照合して上記指紋データの再登録の可否を認証するステップを備えたものである。
【００１３】
【発明の実施の形態】
実施の形態１．
図１〜図４はこの発明の第１、第２及び第５発明の一実施の形態を示す図で、図１は再登録モード設定時の機能構成図、図２は指紋照合装置の斜視図、図３は再登録モード設定時の動作フローチャート、図４は再登録データ認証手段の詳細説明図で、（Ａ）は動作フローチャート、（Ｂ）は指紋の特徴データであり、図中同一符号は同一部分を示す。
【００１４】
図１及び図２において、１は指紋照合装置、２は指紋画像を読み取る指紋読取り部、３はテンキー等で構成されたＩＤ（個人識別）入力装置、４は登録ボタン、５は取消ボタン、６は削除ボタン、７は表示装置である。
８はＩＤ入力装置３で入力されたＩＤに対応する指紋データを削除する指紋データ削除手段、９は指紋読取り部２で読み取った指紋画像から指紋の特徴データ（特徴点や方向角、後述）を抽出する指紋データ作成手段、１０は指紋データ作成手段９で作られた複数個のデータから登録データを作成する登録データ作成手段である。
【００１５】
１１は後述する再登録データ認証手段１３によって認証された指紋データを登録する指紋データ登録手段、１２は指紋データ登録手段１１から出力された指紋データを記憶する指紋データ記憶装置、１３は登録データ作成手段１０で新しく作られた指紋データと指紋データ記憶装置１２に記憶されている指紋データを、次に示す２段階の照合計算によって照合かつ認証する再登録データ認証手段である。
【００１６】
すなわち、図４に示すように、方向角照合１３ａ及び特徴点照合１３ｂによって照合される。ここで、方向角照合とは、指紋の渦の流れという大局的な情報を方向角Ｄとし、その誤差が最小になるように位置合せしながらマッチングをする照合である。また、特徴点照合とは、指紋の端点や分岐点の位置及びその方向という局所的な情報を特徴点Ｐとし、その誤差が最小になるように位置合せしながらマッチングする照合である。
【００１７】
いずれの照合計算においても、その誤差がしきい値以下である場合は、本人の指であると判定され、しきい値よりも大きい場合は別人の指であると判定される。
１４はＩＤ入力装置３及び登録ボタン４に接続され、指紋データの登録開始を指令する指紋データ登録開始手段である。
なお、図示は省略するが、指紋データの再登録モードを設定するスイッチ等の再登録モード設定手段を有している。
【００１８】
次に、この実施の形態の動作を図３を参照して説明する。なお、以下は指紋再登録時の動作であり、指紋照合装置１運用時の指紋照合動作については説明を省略する。
指紋再登録をする場合、まずステップＳ１で再登録する指紋データのＩＤ番号をＩＤ入力装置３を操作して入力する。ステップＳ２で、このＩＤ番号に指紋データが登録されているか、すなわち、再登録ができるかを判定する。そして、再登録ができない場合はステップＳ４へ飛び、再登録ができる場合はその旨を表示装置７によって表示するとともにステップＳ３へ進む。
【００１９】
ステップＳ３で指紋データ登録開始手段１４は、表示装置７によって操作者の意向を聞き、再登録の実行を判定する。操作者が取消ボタン５を押せば処理は終了し、操作者が登録ボタン４を押せば再登録実行と判定して、指紋データの再登録が開始される。ステップＳ４で操作者が指紋読取り部２に指を置くと、指紋画像が読み取られ、ステップＳ５で指紋データ作成手段９で指紋画像から特徴点・方向角などの特徴データが抽出される。以下、ステップＳ４〜Ｓ６が繰り返され、登録データ作成手段１０によって登録データが作成される。
【００２０】
ステップＳ６で登録データが作成できたと判定すると、ステップＳ７へ進み、再登録データ認証手段１３は指紋データ記憶手段１２に記憶されていた旧指紋データ（今回入力したＩＤと同じＩＤに対応する指紋データ）と、上記によって作成された新指紋データを、図４で説明したように方向角照合及び特徴点照合する。ステップＳ８で両データの認証がＯＫであるかを判定し、ＯＫであればＩＤと人が一致していると判定し、ＮＧであれば不一致と判定する。
【００２１】
照合ＯＫであれば新指紋データの登録ＯＫとなり、指紋データ登録手段１１により指紋データ記憶装置１２に記憶された登録指紋データを更新する。照合ＮＧであれば、新指紋データの登録ＮＧとなる。なお、削除ボタン６の操作については、この発明と直接関係はないので、説明は省略する。
ここで、ステップＳ６，Ｓ７は再登録データ認証手段１３を構成している。
このようにして、再登録モード時、新たに登録したい指紋データとすでに登録されている指紋データとを照合認証するようにしたため、本人確認、すなわち再登録する人が、真にそのＩＤ番号に対応した人であるかの確認ができ、故意又は不注意によって他人がそのＩＤ番号の人に入れ替わることを防止することが可能となる。
【００２２】
実施の形態２．
この発明の第３発明の一実施の形態を示すものである。なお、図１〜図４は実施の形態２にも共用する。
この実施の形態は、ステップＳ８で旧指紋データと新指紋データとを比較照合するとき、照合ＯＫ／ＮＧを判定するしきい値を、通常の照合時よりも下げて判定基準を甘くするようにしたものである。
このようにして、再登録を円滑にすることが可能となる。
【００２３】
実施の形態３．
この発明の第４発明の一実施の形態を示すものである。なお、図１〜図４は実施の形態２にも共用する。
この実施の形態は、ステップＳ８で旧指紋データと新指紋データとを比較照合するとき、照合ＯＫ／ＮＧを判定する照合手段を、図４の方向角照合１３ａだけにして判定基準を甘くするようにしたものである。
このようにして、再登録を円滑にすることが可能となる。
なお、上記各実施の形態では、ＩＤ入力装置３としてテンキーを用いるものとしたが、使用者が所持するＩＤカードにより個人を識別するようにしてもよい。
【００２４】
【発明の効果】
以上説明したとおりこの発明の第１発明では、再登録モード時に指紋データが入力されると、この指紋データと登録指紋データとを照合して再登録の可否を認証するようにしたので、再登録する人の確認ができ、故意又は不注意によって他人が入れ替わることを防止できる。
【００２５】
また、第２発明では、再登録モード時に個人番号及び指紋データが入力されると、この指紋データと個人番号に対応する登録指紋データとを照合して再登録の可否を認証するようにしたので、再登録する人が真にその個人番号に対応した人であるかの確認ができ、故意又は不注意によって他人が入れ替わることを防止することができる。
【００２６】
また、第３発明では、再登録モード時の入力指紋データと登録指紋データとの照合時の判定に用いるしきい値を、通常の照合時よりも低い値としたので、再登録を円滑にすることができる。
【００２７】
また、第４発明では、通常時の入力指紋データと登録指紋データとの照合時には方向角照合及び特徴点照合を用い、再登録モード時には方向角照合だけを用いるようにしたので、再登録を円滑にすることができる。
【００２８】
また、第５発明では、再登録モードが設定された後に指紋データが入力されると、この指紋入力データと登録指紋データとを照合して再登録の可否を認証するステップを備えたので、再登録する人の確認ができ、故意又は不注意によって他人が入れ替わることを防止することができる。
【図面の簡単な説明】
【図１】この発明の実施の形態１を示す再登録モード時の機能構成図。
【図２】この発明の実施の形態１を示す指紋照合装置の斜視図。
【図３】この発明の実施の形態１を示す再登録モード設定時の機能構成図。
【図４】この発明の実施の形態１を示す再登録データ認証手段の詳細説明図で、（Ａ）は動作フローチャート、（Ｂ）は指紋の特徴データ。
【図５】従来の指紋照合装置を示す再登録モード設定時の機能構成図。
【符号の説明】
１　指紋照合装置、　２　指紋読取り部、　３　ＩＤ入力装置、　４　登録ボタン、　１０　登録データ作成手段、　１２　指紋データ記憶装置、　１３　再登録データ認証手段、　１３ａ　方向角照合、　１３ｂ　特徴点照合。
【図１】
2004070638.tif 000003
【図２】
2004070638.tif 000004
【図３】
2004070638.tif 000005
【図４】
2004070638.tif 000006
【図５】
2004070638.tif 000007